(57)【要約】【課題】  階段の上方からの作業により、段板の側端部における幅木によって覆い隠すことのできる領域にビスを容易にねじ込むことができると共に、十分な締着力によって安定した状態で段板の側端部を受け材に固定することのできる階段段板の固定構造を提供する。【解決手段】  階段１１の側壁面１３に取り付けた受け材１５に、段板１０の側端部１０ａを載置して固定するための階段段板の固定構造において、段板１０の側端面１０ｂから中央側に向けて横方向に切り込んで形成された横溝１８に差込み配置されることにより、段板１０の上面との間に所定の厚みＴを保持して埋設される固定プレート１９と、段板１０の側端部１０ａの上面から段板１０及び固定プレート１９を貫通して受け材１５にネジ込まれ、頭部２０ａが段板の上面から突出することなく固定プレート１９に締着されるタッピングビス２０とによって構成される。【選択図】      図１
2006132080.tif 000002
【特許請求の範囲】
【請求項１】
階段の側壁面に取り付けた受け材に、階段の段板の側端部を載置して固定するための階段段板の固定構造において、
前記段板の側端面から中央側に向けて横方向に切り込んで形成された横溝に差込み配置されることにより、前記段板の上面との間に所定の厚みを保持して前記段板の側端部に埋設される固定プレートと、前記段板の側端部の上面から前記段板及び前記固定プレートを貫通して前記受け材にネジ込まれ、頭部が前記段板の上面から突出することなく前記固定プレートに締着されるタッピングビスとによって構成される階段段板の固定構造。
【請求項２】
前記タッピングビスは、直径が３．５〜６．５ｍｍの小径の頭部を備える請求項１記載の階段段板の固定構造。
【請求項３】
前記タッピングビスの頭部の上端面に形成されるビット穴が、矩形形状を有する請求項１又は２に記載の階段段板の固定構造。
【請求項４】
前記固定プレートは、金属製又は樹脂製の帯板状のブレート部材であり、前記段板の側端部に沿って埋設されると共に、複数の前記タッピングビスの頭部が締着される請求項１〜４のいずれかに記載の階段段板の固定構造。
【発明の詳細な説明】
【技術分野】
【０００１】
本発明は、階段段板の固定構造に関し、特に階段の側壁面に取り付けた受け材に、階段の段板の側端部を載置して固定するための階段段板の固定構造に関する。
【背景技術】
【０００２】
例えば住宅建築物に設けられる階段は、一般に、階段の段板及び蹴込み板を、その両側から一対のささら桁で挟み込む構造を有している。すなわち、ささら桁には、これの内側面に段板の端部及び蹴込み板の端部の形状に相当する形状の切り溝が設けられていて、これらの切り溝に段板及び蹴込み板の両端部を各々挿入係止するようになっており、またささら桁は、階段の側壁の例えば壁下地材等に固定して用いられる。
【０００３】
一方、近年、耐火性に優れた住宅を形成することが要望されており、所望の耐火基準をクリアするべく、壁下地材を覆って耐火ボード等のボード部材を壁面に取り付けた上で、このボード部材の内側面に重ねてささら桁を取り付ける構造が採用される場合がある。このような構造では、段板の上方にささら桁が延設していると、ささら桁の厚さによって、一般のモジュールでは、建築基準法に定められている例えば７５０ｍｍの階段幅を確保することが困難になる場合があることから、段板や蹴込み板の受け材となるささら桁を、段板の下方や蹴込み板の裏側にのみ設けて、段板の上方に延設させることなく段板を支持させるような工夫がなされている。また、段板の上方や蹴込み板の表側には、これらの側端部とボード部材との接合部分を覆うようにして、ささら桁の厚さよりも薄い幅木を取り付け、これによって階段幅を確保しつつ、段板や蹴込み板と両側のボード部材との接合部分の美観を向上させ、且つこれらの接合部分における損傷を効果的に防止できるようにしている（例えば、特許文献１、特許文献２参照）。
【特許文献１】特開２００１−１８２２６６号公報
【特許文献２】特開２００４−３６１６８号公報
【特許文献３】特開平６−１６５７４号公報
【特許文献４】特開平８−２６０６４０号公報
【発明の開示】
【発明が解決しようとする課題】
【０００４】
上述のような、段板の側端部をボード部材の内側面に取り付けた受け材（ささら桁）に支持させ、段板の上方にはささら桁を延設させることなく幅木を取り付けてボード部材と段板との接合部分を覆うようにした階段では、段板の側端部の上面から当該段板を貫通させつつ受け材に向けてビスをねじ込むことにより、段板の側端部を下方の受け材に固定し、且つ段板の側端部の上面に締着されたビスの頭部を、幅木の厚さによって覆い隠す固定構造が採用されていた。
【０００５】
しかしながら、上記従来の固定構造によれば、例えば１５ｍｍ程度の厚さを有する幅木によって覆い隠すことが可能な段板の側端部の細幅領域において、例えばインパクトハンドドリルを用いて、受け材に向かって例えば６０ｍｍ程度の長さを有するビスをねじ込む作業は、困難な作業となり易い。すなわち、通常用いられるビスは、その頭部が例えば７ｍｍ程度の直径を有しており、また段板を構成する木材の割れを考慮すると、段板の側縁部に極端に近接させてビスをねじ込むことはできないことから、締着されたビスの頭部が１５ｍｍ程度の厚さの幅木によって覆い隠されるように、段板の側縁部に正確に位置合わせしつつビスをねじ込む作業に多くの手間と熟練を要することになる。さらに、ビスの頭部を覆って取り付けた幅木が乾燥収縮等によって後退すると、隠れていたビスが露出し易くなると共に、段板が例えば木質繊維板（ＭＦＤ，ＨＤＦ等）等の軟らかい素材のエンジニアリングウッドによって形成されていて、ビスの頭部による締着力が十分に発現されない場合には、段板の固定に緩みが生じてきしみ音等の不具合が発生しやすくなる。さらにまた、段板の下方から、例えばＬ字断面形状の補強金具を用いて段板と受け材とを連結固定することも考えられるが（例えば、特許文献３、特許文献４参照）、階段の裏側からの作業になるため、作業能率が大幅に低下することになる。
【０００６】
本発明は、このような従来の課題に着目してなされたものであり、階段の上方からの作業により、段板の側端部における幅木によって覆い隠すことのできる領域にビスを容易にねじ込むことができると共に、十分な締着力によって安定した状態で段板の側端部を受け材に固定することのできる階段段板の固定構造を提供することを目的とする。
【課題を解決するための手段】
【０００７】
本発明は、階段の側壁面に取り付けた受け材に、階段の段板の側端部を載置して固定するための階段段板の固定構造において、前記段板の側端面から中央側に向けて横方向に切り込んで形成された横溝に差込み配置されることにより、前記段板の上面との間に所定の厚みを保持して前記段板の側端部に埋設される固定プレートと、前記段板の側端部の上面から前記段板及び前記固定プレートを貫通して前記受け材にネジ込まれ、頭部が前記段板の上面から突出することなく前記固定プレートに締着されるタッピングビスとによって構成される階段段板の固定構造を提供することにより、上記目的を達成したものである。
【０００８】
そして、本発明の階段段板の固定構造によれば、前記タッピングビスは、直径が３．５〜６．５ｍｍの小径の頭部を備えていることが好ましい。
【０００９】
また、本発明の階段段板の固定構造によれば、前記タッピングビスの頭部の上端面に形成されるビット穴が、矩形形状を有していることが好ましい。
【００１０】
さらに、本発明の階段段板の固定構造によれば、前記固定プレートは、金属製又は樹脂製の帯板状のブレート部材であり、前記段板の側端部に沿って埋設されると共に、複数の前記タッピングビスの頭部が締着されることが好ましい。
【発明の効果】
【００１１】
本発明の階段段板の固定構造によれば、階段の上方からの作業によって、段板の側端部における幅木によって覆い隠すことのできる領域にビスを容易にねじ込むことができると共に、十分な締着力によって安定した状態で段板の側端部を受け材に固定することができる。
【発明を実施するための最良の形態】
【００１２】
本発明の好ましい一実施形態に係る階段段板の固定構造は、図１及び図２に示すように、例えばツーバイフォー工法（枠組壁工法）や在来軸組工法等による住宅建築物に階段１１を設置する際に、壁下地材を覆って取り付けられた耐火ボード等のボード部材１２による側壁面１３に沿って、段板１０及び蹴込み板１４の受け材となるささら桁１５を取り付け、このささら桁１５に支持させるようにして、段板１０の側端部１０ａを固定する際に採用されるものである。また、本実施形態によれば、階段１１は、段板１０及び蹴込み板１４の側端部におけるボード部材１２との接合角部分を覆うようにして、横幅木１６及び縦幅木１７が各々取り付けられる構造を備えており、横幅木１６の厚さによって覆い隠される段板１０の側端部１０ａの細幅領域において、ささら桁１５への段板１０の固定が、容易且つ効果的になされるようにするために採用されたものである。
【００１３】
そして、本実施形態の階段段板の固定構造は、階段１１のボード部材１２による側壁面１３に取り付けた受け材としてのささら桁１５に、階段１１の段板１０の側端部１０ａを載置して固定するための構造において、段板１０の側端面１０ｂから中央側に向けて横方向に切り込んで形成された横溝１８に差込み配置されることにより、段板１０の上面との間に所定の厚みＴ（図４参照）を保持して段板１０の側端部１０ａに埋設される固定プレート１９と、段板１０の側端部１０ａの上面から段板１０及び固定プレート１９を貫通してささら桁１５にねじ込まれ、頭部２０ａが段板１０の上面から突出することなく固定プレート１９に締着されるタッピングビス２０とによって構成されている。
【００１４】
また、本実施形態によれば、図３に示すように、固定プレート１９は、鉄板やアルミニウム等の金属製、又はプラスチック等の樹脂製の帯板状のブレート部材であり、段板１０の側端部１０ａに沿って埋設されると共に、複数のタッピングビス２０の頭部２０ａが締着されることになる。
【００１５】
本実施形態によれば、受け材としてのささら桁１５は、階段の段板１０及び蹴込み板１４を下側又は裏側から支持できるように、階段１１の形状に沿ったひな壇状にギザギザに刻まれた形状を上面側に備えるものであり、例えば１５〜３０ｍｍ程度の厚さの平板部材を用いて加工形成された公知のものを用いることができる。ささら桁１５は、階段１１の側壁面１３に沿って配置されると共に、ボード部材１２及び壁下地材に向かって固定釘、固定ビス等の固定部材を打ち込むことにより、当該側壁面１３に強固に固定されることになる。そして、ささら桁１５の各段の水平に延設される部分を受け材として、段板１０の側端部１０ａが支持固定されることになる。
【００１６】
段板１０は、むく材、合板、木質繊維板等からなる、例えば２４〜３３ｍｍ程度の厚さを有する公知の各種の踏板部材を用いることができ、段板１０の側端部１０ａに沿って、帯板状の固定プレート１９が埋設固定される。また、段板１０の下面前端部分には、蹴込み板１４の上端が挿入係止される係止溝２１が設けられている。
【００１７】
ここで、段板１０の側端部１０ａに沿って固定プレート１９を埋設固定するには、図３に示すように、段板１０の側端面１０ｂから中央側に向けて、例えばルータ加工機を用い、２０〜３０ｍｍ程度の深さ、及び０．５〜４．０ｍｍ程度の溝幅で切り込むことにより、前端部分を除いた側端面１０ｂの略全長に亘って横溝１８を形成する。
【００１８】
しかる後に、この横溝１８に、当該横溝１８の形状と略合致する形状を備える、例えば幅２０〜３０ｍｍ、長さ１５０〜３００ｍｍ、厚さ０．５〜４．０ｍｍ程度の大きさの、例えばアルミニウムからなる金属製の固定プレート１９を挿入配置すると共に、例えばエポキシ樹脂、変性酢酸ビニル、水性高分子イソシアネート、レゾルシノール、ウレタン、アクリル系接着剤等の接着剤を介して、横溝１８の内面に接着することにより、帯板状の固定プレート１９が、段板１１の側端部１１ａに沿って強固に埋設固定されることになる。
【００１９】
また、本実施形態によれば、横溝１８及びこれに埋設固定される固定プレート１９は、図４にも示すように、段板１０の上面との間に例えば５〜１０ｍｍ程度の所定の厚みＴを保持して、段板１０の厚さ方向上方部分に設けられている。段板１０の上面との間に保持された厚みＴの部分は、タッピングビス２０をねじ込んでこれの頭部２０ａを固定プレート１９に締着させる際に、段板１１にめり込ませた頭部２０ａを段板１１の上面から突出させることなく段板１１に埋没させておくための頭部埋設用の部分である。したがって、固定プレート１９の上方に保持された所定の厚みＴは、タッピングビス２０の頭部２０ａの高さ以上の厚さを備えている。
【００２０】
さらに、本実施形態によれば、横溝１８及びこれに埋設固定される固定プレート１９は、前端内側の角部分が弧状に湾曲した平面形状を備えており（図３参照）、これによって、刃の形状が円弧状となったルータ加工機を用いて、段板１１の前端側から見えないように横溝１８及び固定プレート１９を容易に設けることが可能になる。
【００２１】
タッピングビス２０は、リード穴を必要とすることなく段板１０及び固定プレート１９にねじ込むことのできる特性を備えるビスであり、一般のビスと比較して、リード穴を先行形成することなく、段板１０の側端部１０ａにおける任意の位置において、段板１０及び固定プレート１９を貫通させつつささら桁１５までスムーズにねじ込むことを可能にすると共に、定着部１０ｂの周囲に形成されたビット２２のネジ面によって、段板１０やささら桁１５、或いは固定プレート１９に対する強固な定着力が得られるものである。
【００２２】
本実施形態においては、タッピングビス２０として、例えば図５（ａ），（ｂ）に示すものが用いられる。図５（ａ），（ｂ）に示すタッピングビス２０は、周囲にビット２２が形成され、線径が例えば３ｍｍ程度の定着部２０ｂと、定着部２０ｂの上端に連接され、最大径となる上端面の直径が好ましくは４〜５ｍｍ程度の小径の頭部２０ａとからなり、全体として例えば４５〜６５ｍｍ程度の長さを有している。また定着部２０ｂは、上方定着部２０ｃと、空転平行部２０ｄと、下方定着部２０ｅとからなり、上方定着部２０ｃによって固定プレート１９を押さえ、下方定着部２０ｅによって段板１０をとめると共に、空転平行部２０ｄによって、上方定着部２０ｃと下方定着部２０ｅに設けられたビット２２のピッチ合わせを行うことができるようになっている。
【００２３】
本実施形態によれば、タッピングビス２０の頭部２０ａは、定着部２０ｂとの連接部分から上方に向かって拡幅する切頭円錐形状を有しており、またその上端面に形成されるビット穴２３は、矩形形状を備えている。タッピングビス２０の頭部２０ａが、周面がテーパー面となった切頭円錐形状を有していることにより、タッピングビス２０をねじ込んで頭部２０ａを固定プレート１９に締着させる際に、当該頭部２０ａを固定プレート１９までスムーズにめり込ませることが可能になる。また、頭部２０ａの上端面のビット穴２３が矩形形状を備えていることにより、一般的な十字形状のビット穴の場合と比較して、横幅木１６の厚さによって覆い隠すことが可能な段板１０の側端部１０ａの細幅領域において、例えばインパクトハンドドリルを用いてタッピングビス２０をねじ込む際に、回転トルクを伝達させ易くなって、さらに効率良く段板１０の側端部１０ａの固定作業を行うことが可能になる。
【００２４】
そして、本実施形態によれば、段板１０の側端部１０ａを受け材としてのささら桁１５に固定するには、固定プレート１９が埋設された段板１０の側端部１０ａをささら桁１５の上面に載置した後に、横幅木１６の厚さによって覆うことが可能な例えば１５ｍｍ程度の幅の細幅領域において、階段１１の上方からの作業により、タッピングビス２０を、段板１０及び固定プレート１９を貫通してささら桁１５にねじ込むと共に、頭部２０ａを固定プレート１９の上方の厚みＴの部分にめり込ませて固定プレート１９に締着する。ここで、タッピングビス２０の頭部２０ａは、これを段板１０の上面に直接締着させるのではなく、段板１０に埋設した固定プレート１９に締着させて、この固定プレート１９を介して段板１０に締着されるので、頭部２０ａの平面形状を小さくすることが可能になり、例えば一般的なビスの頭部が７．５ｍｍ程度の直径を有するのに対し、例えば６．５ｍｍ以下の直径の小径の頭部２０ａを備えるタッピングビス２０を使用して、細幅領域からはみ出させることなく、余裕をもって容易にタッピングビス２０のねじ込み作業を行うことが可能になる。これによって、段板１０の側端部１０ａとボード部材１２との接合角部分を覆うようにして横幅木１６を設置する際に（図１、図２参照）、横幅木１６の厚さによってタッピングビス２０の頭部２０ａの埋没部分を容易に覆い隠すことが可能になる。
【００２５】
また、本実施形態によれば、タッピングビス２０の頭部２０ａは、固定プレート１９に締着されて当該固定プレート１９を介して段板１０に締着されるので、固定プレート１９による大きな面積の締着面によって、安定した状態でタッピングビス２０に締着力を発揮させることができると共に、タッピングビス２０に形成されたビット２２のネジ面によって、段板１０やささら桁１５、或いは固定プレート１９に対する強固な定着力が得られるので、振動を受けやすい段板１０をささら桁１５に強固に固定して、緩みやきしみ音等の不具合の発生を容易に回避することが可能になる。
【００２６】
したがって、本実施形態によれば、階段１１の上方からの作業により、段板１０の側端部１０ａにおける横幅木１６によって覆い隠すことのできる領域にタッピングビス２０を容易にねじ込むことができると共に、十分な締着力によって安定した状態で段板１０の側端部１０ａをささら桁１５に固定することができる。
【００２７】
なお、本発明は上記実施形態に限定されることなく種々の変更が可能である。例えば、固定プレートは、複数のタッピングビスを同時に締着可能とする帯板状のブレート部材である必要は必ずしもなく、各タッピングビスを各々締着させる形状の固定プレートであっても良い。また、段板は、木質繊維板等の軟らかい素材のエンジニアリングウッドからなるものであっても良く、このようなエンジニアリングウッドを段板として用いる場合でも、タッピングビスによる段板への締着力は、固定プレートを介することにより安定した状態で得られることになって有効である。さらに、タッピングビスの頭部上面に形成されるビット穴は、矩形形状を有している必要は必ずしもなく、回転トルクを伝達させ易いその他の種々の形状を採用することができる。さらにまた、タッピングビスの頭部は、切頭円錐形状とする必要は必ずしもなく、例えば円形ドラム形状等のその他の種々の形状を採用することもできる。この場合には、タッピングビスの頭部の周囲にスクリュー刃を設けておくことにより、当該頭部を段板にスムーズにめり込ませてゆくことが可能になる。
【００２８】
さらに、図６（ａ），（ｂ）に示すように、頭部２０ａにセレーションが形成された、例えば頭部２０ａの最大径が５ｍｍ程度、頭部２０ａの長さが６ｍｍ程度、全体の長さが４５〜６５ｍｍ程度、定着部２０ｂの線径が２．５ｍｍ程度のタッピングビズ３０を用いることができる。このタッピングビズ３０によれば、頭部２０ａに設けられたセレーションによって段板のまくれを効果的に防ぐことが可能になる。また、タッピングビズ３０は、頭部２０ａの上端面に形成されるビット穴３１が十字形状を有している。
【図面の簡単な説明】
【００２９】
【図１】本発明の好ましい一実施形態に係る階段段板の固定構造を用いて段板が固定された階段を例示する要部斜視図である。
【図２】本発明の好ましい一実施形態に係る階段段板の固定構造を示す断面図である。
【図３】段板の腰部を示す分解斜視図である。
【図４】本発明の好ましい一実施形態に係る階段段板の固定構造を示す要部断面図である。
【図５】（ａ）は、タッピングビスを例示する正面図、（ｂ）は同上面図である。
【図６】（ａ）は、他のタッピングビスを例示する正面図、（ｂ）は同上面図である。
【符号の説明】
【００３０】
１０  段板
１０ａ  段板の側端部
１０ｂ  段板の側端面
１１  階段
１２  ボード部材
１３  側壁面
１４  蹴込み板
１５  ささら桁（受け材）
１６  横幅木
１７  縦幅木
１８  横溝
１９  固定プレート
２０，３０  タッピングビス
２０ａ  タッピングビスの頭部
２０ｂ  タッピングビスの定着部
２０ｃ  タッピングビスの上方定着部
２０ｄ  タッピングビスの空転平行部
２０ｅ  タッピングビスの下方定着部
２１  係止溝
２２  ビット
２３，３１  ビット穴
２４  スクリュー刃
【図１】
2006132080.tif 000003
【図２】
2006132080.tif 000004
【図３】
2006132080.tif 000005
【図４】
2006132080.tif 000006
【図５】
2006132080.tif 000007
【図６】
2006132080.tif 000008